(57)【要約】【課題】被燃焼物の開閉装置への噛み込みを防ぎ、燃焼炉内外の気密を維持できる燃焼炉への被燃焼物の供給装置を提供する。【解決手段】流動層燃焼炉２０への供給路１３に、三段のダンパ３１（上段ダンパ３１Ａ，中段ダンパ３１Ｂ，下段ダンパ３１Ｃ）が、流路方向にそれぞれ所定間隔で設けられると共に、これらダンパ３１開閉駆動制御する制御装置３２を備え、制御装置３２は、上段ダンパ３１Ａと中段ダンパ３１Ｂが同時に開放することがなく、且つ、中段ダンパ３１Ｂと下段ダンパ３１Ｃが同時に開放することがないように開閉制御して燃料を供給するように構成されている。【選択図】              図１
2005061653.tif 000002
【特許請求の範囲】
【請求項１】
燃焼炉への被燃焼物供給路に、開閉装置が三段、流路方向にそれぞれ所定間隔で設けられると共に、前記三段の開閉装置をそれぞれ開閉駆動制御する制御装置を備え、
前記制御装置は、一段目の開閉装置と二段目の開閉装置が同時に開放することがなく、且つ、前記二段目の開閉装置と前記三段目の開閉装置が同時に開放することがないように開閉制御して燃料を供給するように構成されていることを特徴とする燃焼装置への被燃焼物の供給装置。
【請求項２】
上記二段目の開閉装置と三段目の開閉装置の間の被燃焼物収容容量は、上記一段目の開閉装置と二段目の開閉装置の間の被燃焼物収容容量より大きく設定されていることを特徴とする請求項１に記載の燃焼装置への被燃焼物の供給装置。
【発明の詳細な説明】
【０００１】
【発明の属する技術分野】
本発明は、焼却炉やボイラ等の燃焼炉に被燃焼物を供給する被焼却物供給装置に関する。
【０００２】
【従来の技術】
可燃性の廃棄物を焼却する焼却炉や石炭だきボイラ等の燃焼炉として、近時、粒状の流動媒体を上昇気流によって流動化させた流動層に燃料を投入して燃焼させる流動層燃焼炉が多く用いられるようになってきている。
【０００３】
流動層燃焼炉は、粒径の大きな燃料でも浮遊させて燃焼できると共に流動媒体として石灰石等の脱硫剤を用いることで炉内同時脱硫により排煙脱硫を必要としないといった優れた特徴を有する。
【０００４】
このような流動層燃焼炉では、その内部の圧力が外部と異なる。即ち、焼却炉の場合には内圧が大気圧より高く、流動層で可燃物を可燃ガス化する流動層ガス化炉の場合には内圧が大気圧より低い。
【０００５】
このため、被燃焼物の投入は燃焼装置の内外の気密を保って行う必要があり、例えば、特許文献１に開示のごとく、被燃焼物の供給路に二重のダンパ（開閉装置）を設けてその開閉に時間差を与えることで、内部の高温・高圧のガスが被燃焼物の供給路を介して逆流したり、外部の空気が被燃焼物の供給路を介して炉内に流入することを防いでいる。
【０００６】
【特許文献１】
特開２００３−５６８２２号公報
【０００７】
【発明が解決しようとする課題】
しかしながら、上記従来のごとく被燃焼物の供給路に開閉装置を二重に設けたものであっても、何れか一方でも開閉装置が被燃焼物を噛み込むと気密維持ができなくなるという問題があった。廃棄物のように不定形で大きさも不揃いの被燃焼物の場合には、特にその虞が大きい。
【０００８】
本発明は、上記問題に鑑みてなされたものであって、被燃焼物の開閉装置への噛み込みを防ぎ、燃焼炉内外の気密を維持できる燃焼炉への被燃焼物の供給装置を提供することを目的とする。
【０００９】
【課題を解決するための手段】
上記目的を達成する本発明の被燃焼物の供給装置は、燃焼炉への被燃焼物供給路に、開閉装置が三段、流路方向にそれぞれ所定間隔で設けられると共に、前記三段の開閉装置をそれぞれ開閉駆動制御する制御装置を備え、前記制御装置は、一段目の開閉装置と二段目の開閉装置が同時に開放することがなく、且つ、前記二段目の開閉装置と前記三段目の開閉装置が同時に開放することがないように開閉制御して燃料を供給するように構成されていることを特徴とする。
【００１０】
この構成により、一段目の開閉装置で被燃焼物の一作動当たりの供給量を規定し、二段目と三段目の開閉装置の何れかで気密を維持しつつ被燃焼物を燃焼炉に供給する。
【００１１】
また、上記二段目の開閉装置と三段目の開閉装置の間の被燃焼物収容容量は、上記一段目の開閉装置と二段目の開閉装置の間の被燃焼物収容容量より大きく設定されていることを特徴とする。
【００１２】
この構成により、一段目の開閉装置と二段目の開閉装置の間の被燃焼物は、二段目の開閉装置と三段目の開閉装置の間に確実に収容される。
【００１３】
【発明の実施の形態】
以下、添付図面を参照して本発明の実施の形態について説明する。
図１は本発明に係る燃焼炉への被燃焼物の供給装置の一構成例を適用した流動層燃焼装置を概念的に示す図である。
【００１４】
図示流動層燃焼装置１は、供給機構１０によって供給される被燃焼物としての木屑や廃タイヤ等の燃料２を、燃焼装置としての流動層燃焼炉２０で燃焼させるものである。
【００１５】
供給機構１０は、燃料を貯蔵すると共にフィーダ１１Ａとカッタ１１Ｂを備えたバンカ１１と、該バンカ１１から排出された燃料２を周回する無端ベルトで連続的に搬送する搬送コンベア１２と、流動層燃焼炉２０に接続された被燃焼物供給路としての供給路１３に設けられた燃料供給装置３０とから成り、バンカ１１に貯蔵した燃料を搬送コンベア１２を介して供給路１３に送り込み、燃料供給装置３０が前後の気密を保って所定量づつ炉本体２１に投入するようになっている。
【００１６】
流動層燃焼炉２０は、炉本体２１に収容された粒状の流動媒体に上昇空気を吹き込んで流動層２１Ａを形成し、供給路１３を介して投入された燃料を流動層２１Ａ内で燃焼させる。
【００１７】
ここで、燃料供給装置３０は、供給路１３に介設された三組の開閉装置としてのダンパ３１（上段ダンパ３１Ａ，中段ダンパ３１Ｂ，下段ダンパ３１Ｃ）と、これらを開閉制御する制御装置３２とから構成されている。
【００１８】
ダンパ３１は、供給路１３を開閉可能に設けられ扉体３１ａと、該扉体３１ａを開閉駆動する油圧シリンダ等の駆動手段３１ｂとから構成されている。各ダンパ３１の駆動手段３１ｂは制御装置３２によってそれぞれ独立して駆動制御されるようになっている。
【００１９】
中段ダンパ３１Ｂと下段ダンパ３１Ｃは、扉体３１ａによる供給路１３の閉止時に、供給路１３の前後の気密を保つに気密機構を備えており、少なくともこの中段ダンパ３１Ｂと下段ダンパ３１Ｃの何れかが閉止状態にあれば、当該燃料供給装置３０の上下流の気密を保持し得るようになっている。
【００２０】
制御装置３２は、上段ダンパ３１Ａと中段ダンパ３１Ｂが同時に開放することがなく、且つ、中段ダンパ３１Ｂと下段ダンパ３１Ｃが同時に開放することがないように駆動制御して、供給路１３に供給された燃料を内外の気密を保って流動層焼却炉２０に投入する。
【００２１】
即ち、タイムチャートである図２（Ａ）に示すように、中段ダンパ３１Ｂが閉止した状態で上段ダンパ３１Ａを所定時間開いて閉止し、次いで、所定の閉止オーバーラップ時間：ＯＬ経過後に中段ダンパ３１Ｂを所定時間開いて閉止し、更に、所定の閉止オーバーラップ時間：ＯＬ経過後に下段ダンパ３１Ｃを所定時間開いて閉止する。これにより、上段ダンパ３１Ａの上側の燃料を、上段ダンパ３１Ａの開放によって中段ダンパ３１Ｂ上に移動し、次いで中段ダンパ３１Ｂの開放によって下段ダンパ３１Ｃ上に移動し、最後に下段ダンパ３１Ｂの開放によって流動層焼却炉２０に投入するものである。
【００２２】
このような燃料投入工程は、上段ダンパ３１Ａの開閉で中段ダンパ３１Ｂに移動する燃料の量を規定し、その燃料を中段ダンパ３１Ｂと下段ダンパ３１Ｃを同時開放しないように順次開放して下流側に移動させるものであり、上段ダンパ３１Ａの開放時間によって決まる一送り工程における燃料投入量を、下段ダンパ３１Ｃによる燃料保持量（下段ダンパ３１Ｃと中段ダンパ３１Ｂの間の燃料収容容量）より少なく設定することで、中段ダンパ３１Ｂによる燃料の噛み込みを防いで気密を保持できる。
【００２３】
また、中段ダンパ３１Ｂによる燃料保持量（中段ダンパ３１Ｂと上段ダンパ３１Ａの間の燃料収容容量）より、下段ダンパ３１Ｃによる燃料保持量（下段ダンパ３１Ｃと中段ダンパ３１Ｂの間の燃料収容容量）を大きく設定しても良い。これによれば、中段ダンパ３１Ｂの開放によって下段ダンパ３１Ｃに移動する燃料の量は必然的に下段ダンパ３１Ｃによる燃料保持量より少なくなり、中段ダンパ３１Ｂが燃料を噛み込むことがなく気密を保持できる。つまり、中段ダンパ３１Ｂによる燃料保持量全量が下段ダンパ３１Ｃ上に移動しても中段ダンパ３１Ｂが燃料を噛み込むことなく閉止できるものである。
【００２４】
尚、制御装置３２によるダンパ３１の制御は上記構成例に限るものではない。例えば、図２（Ｂ）に示すように、下段ダンパ３１Ｃが開放する燃料投入時（中段ダンパ３１Ｂ閉止時）に同時に上段ダンパ３１Ａを開放して中段ダンパ３１Ｂ上に燃料を移動し、これを繰り返して行うことでより迅速で合理的な連続投入ができる。
【００２５】
また、ダンパ３１は各ダンパ３１Ａ，３１Ｂ，３１Ｃをそれぞれリンケージにて接続して駆動手段のアクチュエーターを一つ又は二つとすることも可能である。
【００２６】
更に、上記構成例は、本願を流動層燃焼炉に適用したものであるが、内外の圧力差のある他の形式の燃焼炉に適用しても良いことは勿論である。
【００２７】
【発明の効果】
以上述べたように、本発明に係る燃焼炉への被燃焼物の供給装置によれば、燃焼炉への被燃焼物供給路に、開閉装置が三段、流路方向にそれぞれ所定間隔で設けられると共に、三段の開閉装置をそれぞれ開閉駆動制御する制御装置を備え、制御装置は、一段目の開閉装置と二段目の開閉装置が同時に開放することがなく、且つ、前記二段目の開閉装置と前記三段目の開閉装置が同時に開放することがないように開閉制御して燃料を供給するように構成されていることにより、一段目の開閉装置で被燃焼物の一作動当たりの供給量を規定し、二段目と三段目の開閉装置の何れかで気密を維持しつつ被燃焼物を燃焼炉に供給することができ、被燃焼物の開閉装置への噛み込みを防ぎ、燃焼炉内外の気密を維持できるものである。
【００２８】
また、上記二段目の開閉装置と三段目の開閉装置の間の被燃焼物収容容量は、上記一段目の開閉装置と二段目の開閉装置の間の被燃焼物収容容量より大きく設定されていることにより、一段目の開閉装置と二段目の開閉装置の間の被燃焼物は、二段目の開閉装置と三段目の開閉装置の間に確実に収容され、被燃焼物の二段目の開閉装置への噛み込みを完全に防いで燃焼炉内外の気密を維持できるものである。
【図面の簡単な説明】
【図１】本発明に係る燃焼炉への被燃焼物の供給装置の一構成例を適用した流動層燃焼装置を概念的に示す図である。
【図２】開閉装置のタイムチャートである。
【符号の説明】
１  流動層燃焼装置
２  燃料（被燃焼物）
１３  供給路（被燃焼物供給路）
２０  流動層燃焼炉（燃焼炉）
３１  ダンパ（開閉装置）
３１Ａ  上段ダンパ（開閉装置）
３１Ｂ  中段ダンパ（開閉装置）
３１Ｃ  下段ダンパ（開閉装置）
３２  制御装置
【図１】
2005061653.tif 000003
【図２】
2005061653.tif 000004